(57)【要約】  本発明は、無線通信システムで制御情報を送信するための方法及び装置を提供する。本発明の無線通信システムの基地局における制御情報送信方法は、制御情報を送信するリソースと前記リソースに対応してＤＭＲＳを送信するＤＭＲＳポートの同様に適用されるプリコーダを決定する段階と、前記決定されたプリコーダを用いて前記リソースと前記ＤＭＲＳポートをプリコーディングする段階と、及び前記制御情報と前記ＤＭＲＳを端末で送信する段階と、を含む。
2014533909.tif 000002
【特許請求の範囲】
【請求項１】
無線通信システムの基地局における制御情報送信方法であって、
制御情報を送信するリソースと前記リソースに対応してＤＭＲＳを送信するＤＭＲＳポートに同一に適用されるプリコーダを決定する段階と、
前記決定されたプリコーダを用いて前記リソースと前記ＤＭＲＳポートをプリコーディングする段階と、及び
前記制御情報と前記ＤＭＲＳを端末へ送信する段階と、を含むことを特徴とする方法。
【請求項２】
前記リソースと前記リソースに対応する前記ＤＭＲＳポートは予め設定されていることを特徴とする、請求項１に記載の方法。
【請求項３】
制御情報送信領域とＤＭＲＳポートの番号を設定する段階、及び
前記設定を送信する段階をさらに含むことを特徴とする、請求項１に記載の方法。
【請求項４】
前記リソースは、リソース要素(Ｒｅｓｏｕｒｃｅ Ｅｌｅｍｅｎｔ、ＲＥ)、リソース要素グループ(Ｒｅｓｏｕｒｃｅ Ｅｌｅｍｅｎｔ Ｇｒｏｕｐ、ＲＥＧ)又はリソースブロック(Ｒｅｓｏｕｒｃｅ Ｂｌｏｃｋ、ＲＢ)のうちの少なくとも一つ以上であることを特徴とする、請求項１に記載の方法。
【請求項５】
無線通信システムの端末による制御情報受信方法であって、
基地局からサブフレームを受信する段階と、
制御情報を送信するリソースに適用されたプリコーダをＤＭＲＳを用いて決定する段階と、及び
前記プリコーダを用いてリソースを復調する段階を含むことを特徴とする方法。
【請求項６】
前記リソースと前記リソースに対応されるＤＭＲＳポートが予め設定されていることを特徴とする、請求項５に記載の方法。
【請求項７】
制御情報送信領域及びＤＭＲＳポート番号設定を受信する段階をさらに含むことを特徴とする、請求項５に記載の方法。
【請求項８】
前記リソースはリソース要素(Ｒｅｓｏｕｒｃｅ Ｅｌｅｍｅｎｔ、ＲＥ)、リソース要素グループ(Ｒｅｓｏｕｒｃｅ Ｅｌｅｍｅｎｔ Ｇｒｏｕｐ、ＲＥＧ)又はリソースブロック(Ｒｅｓｏｕｒｃｅ Ｂｌｏｃｋ、ＲＢ)のうちの少なくとも一つ以上であることを特徴とする、請求項５に記載の方法。
【請求項９】
無線通信システムで制御情報送信を実行する基地局装置であって、
制御情報を送信するリソースと前記リソースに対応してＤＭＲＳを送信するＤＭＲＳポートに同一に適用されるプリコーダを決定し、前記決定されたプリコーダを用いて前記リソースと前記ＤＭＲＳポートをプリコーディングし、前記制御情報と前記ＤＭＲＳを端末へ送信するように制御する制御部を含むことを特徴とする装置。
【請求項１０】
前記リソースと前記リソースに対応される前記ＤＭＲＳポートが予め設定されていることを特徴とする、請求項９に記載の装置。
【請求項１１】
前記制御部は、
制御情報送信領域とＤＭＲＳポートの番号を設定し、前記設定を送信するように制御することを特徴とする、請求項９に記載の装置。
【請求項１２】
前記リソースは、リソース要素(Ｒｅｓｏｕｒｃｅ Ｅｌｅｍｅｎｔ、ＲＥ)、リソース要素グループ(Ｒｅｓｏｕｒｃｅ Ｅｌｅｍｅｎｔ Ｇｒｏｕｐ、ＲＥＧ)又はリソースブロック(Ｒｅｓｏｕｒｃｅ Ｂｌｏｃｋ、ＲＢ)のうちの少なくとも一つ以上であることを特徴とする、請求項９に記載の装置。
【請求項１３】
無線通信システムで制御情報受信を実行する端末装置であって、
基地局からサブフレームを受信し、ＤＭＲＳを用いてＤＭＲＳに適用されたプリコーダを決定し、前記プリコーダを用いてリソースを復調する段階を含むように制御することを特徴とする記載の装置。
【請求項１４】
前記リソースと前記リソースに対応するＤＭＲＳポートが予め設定されていることを特徴とする、請求項１３に記載の装置。
【請求項１５】
制御部は、
制御情報送信領域及びＤＭＲＳポート番号設定を受信するように制御することを特徴とする、請求項１３に記載の装置。
【請求項１６】
前記リソースは、リソース要素(Ｒｅｓｏｕｒｃｅ Ｅｌｅｍｅｎｔ、ＲＥ)、リソース要素グループ(Ｒｅｓｏｕｒｃｅ Ｅｌｅｍｅｎｔ Ｇｒｏｕｐ、ＲＥＧ)又はリソースブロック(Ｒｅｓｏｕｒｃｅ Ｂｌｏｃｋ、ＲＢ)のうちの少なくとも一つ以上であることを特徴とする、請求項１３に記載の装置。
【発明の詳細な説明】
【技術分野】
【０００１】
本発明は、無線通信システムで制御情報を送信するための方法及び装置に関する。より詳しくは、本発明は、時間ドメイン及び周波数ドメインで動的多様性を有する移動性チャンネルにおいても高信頼性の情報伝達を実現するために、伝達信号が上位レベルのダイバーシティー次数で受信される伝達スキームを提供するための方法に関する。
【背景技術】
【０００２】
本発明は、少なくとも一つの基地局(ｅＮＢ)及び少なくとも一つのユーザ装置(ＵＥ)を有する無線セルラ通信に関する。より詳しくは、基地局(ｅＮＢ)がユーザ装置(ＵＥ)から及びユーザ装置への、ダウンリンク及びアップリンク送信の両方をスケジューリングする無線通信システムに関する。スケジューリングはサブフレーム基準(単位)であり、スケジューリング指示は、もし存在すればダウンリンク送信の各サブフレームで制御チャンネルを通じて基地局からユーザ装置へ伝達する。
【０００３】
本発明を通じて、３ＧＰＰ ＬＴＥリリース８乃至１０はレガシーシステムと見なされ、開発中のリリース１１及びそれ以上のシステムは本発明の実施形態を具現することができるシステムである。本発明はさらに、適合な他のセルラシステムにも適用できる。
【０００４】
ダウンリンクデータ情報は、物理ダウンリンク共有チャンネル(ＰＤＳＣＨ、Ｐｈｙｓｉｃａｌ ＤＬ Ｓｈａｒｅｄ ＣＨａｎｎｅｌ)を通じて伝達する。ダウンリンク制御情報(ＤＣＩ、Ｄｏｗｎｌｉｎｋ Ｃｏｎｔｒｏｌ Ｉｎｆｏｒｍａｔｉｏｎ)はユーザ装置に対するダウンリンクチャンネル状態情報(ＤＬ ＣＳＩ、Ｄｏｗｎｌｉｎｋ ｃｈａｎｎｅｌ ｓｔａｔｕｓ ｉｎｆｏｒｍａｔｉｏｎ)のフィードバックリクエスト、ユーザ装置からのアップリンク送信のためのスケジューリング割り当て(ＵＬ ＳＡ(Ｓｃｈｅｄｕｌｉｎｇ Ａｓｓｉｇｎｍｅｎｔ)ｓ)又はユーザ装置によるＰＤＳＣＨ受信のためのスケジューリング割り当て(ＤＬ ＳＡｓ)を含む。スケジューリング割り当て(ＳＡ)は各物理ダウンリンク制御チャンネル(ＰＤＣＣＨ、Ｐｈｙｓｉｃａｌ Ｄｏｗｎｌｉｎｋ Ｃｏｎｔｒｏｌ Ｃｈａｎｎｅｌ)それぞれから送信されるＤＣＩフォーマットを通じて伝達される。ＳＡに追加で、ＰＤＣＣＨはすべてのユーザ装置又はユーザ装置のグループに共通であるＤＣＩを伝達することができる。
【０００５】
３ＧＰＰ ＬＴＥ／ＬＴＥ−Ａシステムにおいて、ダウンリンク送信は全体システム帯域幅が複数のサブキャリアに分割されるように直交周波数分割多元接続(ＯＦＤＭＡ、Ｏｒｔｈｏｇｏｎａｌ ｆｒｅｑｕｅｎｃｙ Ｄｉｖｉｓｉｏｎ Ｍｕｌｔｉｐｌｅ Ａｃｃeｓｓ)を採択する。１２個の連続したサブキャリアのグループはリソースブロック(ＲＢ、ｒｅｓｏｕｒｃｅ ｂｌｏｃｋ)で表わす。一つのリソースブロックは、ＬＴＥ／ＬＴＥ−Ａシステムにおけるリソース割り当ての基本単位である。
【０００６】
図１は、ＬＴＥ／ＬＴＥ−Ａ システムにおけるリソース割り当ての基本単位を示す図面である。
図１を参照すれば、時間ドメインにおいて、ＬＴＥ／ＬＴＥ−Ａシステムにおけるリソース割り当ての基本単位はサブフレームである。
【０００７】
各サブフレームは図１に示したように、１４個の連続したＯＦＤＭシンボルで構成される。リソース要素(ＲＥ)は図1で四角形によって表現されるＯＦＤＭシンボル及びサブキャリアが交差するところである。ここで、単一変調シンボルが送信されることができる。
【０００８】
図1に示したように、他の時間及び周波数リソースは他の信号形式を送信するために使用することができる。セル特定参照信号(ＣＲＳ、Ｃｅｌｌ ｓｐｅｃｉｆｉｃ ｒｅｆｅｒｅｎｃｅ ｓｉｇｎａｌ)は初期接続、ハンドオーバー動作のようなユーザ装置の移動性をサポートし、レガシーＰＤＳＨＣ送信モードをサポートするために送信される。変調参照信号(ＤＭＲＳ、Ｄｅｍｏｄｕｌａｔｉｏｎ ｒｅｆｅｒｅｎｃｅ ｓｉｇｎａｌ)は新しいＰＤＳＣＨ送信モードをサポートするために送信される。制御チャンネルはユーザ装置に制御領域の大きさ、ダウンリンク／アップリンクスケジューリング割り当て(ＳＡ)及びアップリンクＨＡＲＱ動作のためのＡＣＫ／ＮＡＣＫを通知するために送信される。チャンネル状態情報参照信号(ＣＳＩ−ＲＳ、Ｃｈａｎｎｅｌ Ｓｔａｔｕｓ Ｉｎｆｏｒｍａｔｉｏｎ ｒｅｆｅｒｅｎｃｅ ｓｉｇｎａｌ)はユーザ装置にＣＳＩフィードバック目的のためのダウンリンクチャンネルを測定するための参照信号を提供する。ＣＳＩ−ＲＳはインデックスＡ乃至Ｊでマーキングされたリソース要素の任意のグループ上で送信されることができる。追加で、ゼロパワー(ｚｅｒｏ ｐｏｗｅｒ)ＣＳＩ−ＲＳ又はミューティング(ｍｕｔｉｎｇ)はインデックスＡ乃至Ｊでマーキングされたリソース要素位置が参照信号、データ信号又は制御信号の送信のために使用されない場合に設定することができる。ゼロパワーＣＳＩ−ＲＳ又はミューティングはＬＴＥ−Ａシステムで隣接する送信ポイントからＣＳＩ−ＲＳを受信するユーザ装置の測定性能を向上させるために使用される。ＰＤＳＣＨはＣＲＳ、ＤＭＲＳ、ＣＳＩ−ＲＳ、ゼロパワーＣＳＩ−ＲＳの送信のために使用されないリソース要素(ＲＥ)上のデータ領域から送信される。
【０００９】
言及されたように、基地局はアップリンク／ダウンリンクスケジューリング割り当て又はＣＳＩフィードバックリクエスト指示のような多様な目的のためにレガシーＬＴＥ／ＬＴＥ−ＡシステムでＰＤＣＣＨを送信する。複数のユーザ装置への同時送信及び周波数選択スケジューリングを用いて性能を向上させるＯＦＤＭＡシステムの本来特性に起因し、最適化されたシステム性能は複数のユーザ装置に送信するための複数のＰＤＣＣＨが必要になった。追加的に、他のユーザ装置のためのＰＤＳＣＨ送信がアンテナ技術を用いて空間的に分離される複数のユーザＭＩＭＯ(ＭＵ−ＭＩＭＯ)をサポートすることも複数のユーザ装置で同時ＰＤＣＣＨ送信を要求する。
【００１０】
３ＧＰＰリリース８乃至１０で、制御チャンネルは一般的にユーザ装置がデータデコーディングするのに充分に早くスケジューリング情報を効率的に得ることができるようにするためにサブフレームの開始から送信される。物理ダウンリンク制御チャンネル(ＰＤＣＣＨ)はサブフレームで最初の１乃至３ＯＦＤＭシンボルで送信されるように設定される。
【００１１】
ダウンリンク／アップリンクスケジューリング割り当てを送信するための十分な容量を有するシステムを提供するため、向上した物理データ制御チャンネル(Ｅｎｈａｎｃｅｄ Ｐｈｙｓｉｃａｌ Ｄａｔａ Ｃｏｎｔｒｏｌ Ｃｈａｎｎｅｌ、Ｅ−ＰＤＣＣＨ又はｅＰＤＣＣＨ)に命名された新しい制御チャンネル(ＣＣＨ)が、ＰＤＣＣＨ容量の不足に対処するためにＬＴＥ−Ａリリース 11で開発された。ＰＤＣＣＨ容量の不足を誘発する主要要因はＰＤＣＣＨがサブフレームの最初の1乃至３ＯＦＤＭシンボルだけで送信されるという事実である。さらに、複数のユーザ装置が同一の周波数及び時間リソースを用いてスケジューリングされることができるＭＵ−ＭＩＭＯ(Ｍｕｌｔｉ−Ｕｓｅｒ Ｍｕｌｔｉｐｌｅ Ｉｎｐｕｔ Ｍｕｌｔｉｐｌｅ Ｏｕｔｐｕｔ)の頻繁な送信によって、ＬＴＥ／ＬＴＥ−Ａシステムに対する改善はＰＤＣＣＨ容量の不足に起因して深刻に制限される。ＰＤＣＣＨと異なり、ｅＰＤＣＣＨはＰＤＳＣＨとほとんど同一のサブフレームのデータ領域から送信される。
【００１２】
ＬＴＥリリース８でＰＤＣＣＨ構造 
【００１３】
３ＧＰＰ ＬＴＥリリース８乃至１０で、ＰＤＣＣＨは最初の幾つかのＯＦＤＭシンボルで提供される。ＰＤＣＣＨのために使用されるＯＦＤＭシンボルの番号は第１のＯＦＤＭシンボルで他のＰＣＦＩＣＨ(Ｐｈｙｓｉｃａｌ Ｃｏｎｔｒｏｌ Ｆｏｒｍａｔ Ｉｎｄｉｃａｔｉｏｎ Ｃｈａｎｎｅｌ)から指示される。各ＰＤＣＣＨはＬ制御チャンネル要素(ＣＣＥ、Ｃｏｎｔｒｏｌ Ｃｈａｎｎｅｌ Ｅｌｅｍｅｎｔ)から構成される。ここで、Ｌ＝１、２、４、８は他のＣＣＥ(Ｃｏｎｔｒｏｌ Ｃｈａｎｎｅｌ Ｅｌｅｍｅｎｔ)の結合レベルを表現する。各ＣＣＥはシステム帯域幅にかけて分散される３６個のサブキャリアから構成される。
【００１４】
ＰＤＣＣＨ送信及びブラインドデコーディング
【００１５】
複数のＰＤＣＣＨはユーザ特定ＣＲＣが第１に付着し、その後、リンク品質に基づいてＣＣＥ結合レベル１、２、４又は８によって独立的にエンコードされてレートマッチングされ、その後、多重化されてＰＤＣＣＨリソースにマッピングされる。ユーザ装置側において、ユーザ装置はどんなＣＣＥ結合レベルなのか推定してユーザ特定ＣＲＣを用いて予め決定された検索空間におけるこのＰＤＣＣＨを検索する必要がある。ＰＤＣＣＨが位置されて識別される前、ユーザが複数のデコーディングを試みようとするかも知れないようにこれはブラインドデコーディングと命名される。
【００１６】
ダイバーシティー達成送信スキーム
【００１７】
３ＧＰＰ ＬＴＥリリース８乃至１０で、ＰＤＣＣＨは複数の基地局送信アンテナ上で空間周波数ブロックコード(ＳＦＢＣ、Ｓｐａｃｅ Ｆｒｅｑｕｅｎｃｙ Ｂｌｏｃｋ Ｃｏｄｅ)を用いて送信される。ＳＦＢＣは基地局から単一変調シンボルが２のダイバーシティー次数でユーザ装置で受信されるようにする送信の類型である。換言すれば、基地局のアンテナ１からユーザ装置へのチャンネルはｈ１であり、基地局のアンテナ２からユーザ装置へのチャンネルはｈ２と仮定すれば、ＳＦＢＣ送信はユーザ装置が
【００１８】
【数１】
2014533909.tif 000003
【００１９】
でスケールされる変調された信号を復元するようにする。
【００２０】
【数２】
2014533909.tif 000004
【００２１】
による、受信されて変調された信号は変調された信号が２のダイバーシティー次数からなることを意味する。ＳＦＢＣのような送信スキームを使用せず、ただフラットフェージングチャンネル(ｆｌａｔ ｆａｄｉｎｇ ｃｈａｎｎｅｌ)で１のダイバーシティー次数だけが達成されることができる。典型的に、高いダイバーシティー次数は送信された信号が時間又は周波数ドメインで無線チャンネル多様性に対してより強健であるということを意味する。換言すると、高いダイバーシティー次数を達成することによって、低いダイバーシティー次数の場合と比べて受信された信号はエラー発生の可能性が低く復元される。
【００２２】
３ＧＰＰでＳＦＢＣは、同一セルに連結される複数のユーザ装置に使用される共通参照信号であるＣＲＣを用いて実行される。追加で、ＳＦＢＣが送信される。
【００２３】
ダイバーシティーを得る他の方法は、遅延循環遅延ダイバーシティー(ＣＤＤ、ｃｙｃｌｉｃ ｄｅｌａｙ ｄｉｖｅｒｓｉｔｙ)の使用によるためである。３ＧＰＰシステムで、長い遅延(ｌａｒｇｅ ｄｅｌａｙ)循環遅延ダイバーシティー(ＣＤＤ、ｃｙｃｌｉｃ ｄｅｌａｙ ｄｉｖｅｒｓｉｔｙ)スキームは下記のように定義される：
【００２４】
【数３】
2014533909.tif 000005
【００２５】
【数４】
2014533909.tif 000006
【００２６】
ＤＣＩ送信
【００２７】
一般的にＰＤＣＣＨ送信はダウンリンク制御情報(ＤＣＩ、ｄｏｗｎｌｉｎｋ ｃｏｎｔｒｏｌ ｉｎｆｏｒｍａｔｉｏｎ)送信を表わす。サブフレームで一つのユーザ装置を目的とする複数のＤＣＩが存在することができる。そしてＤＣＩは一つ又は複数のユーザ装置を目的とすることができる。ダウンリンクグラント(ｄｏｗｎｌｉｎｋ ｇｒａｎｔ)が現在サブフレームでＰＤＳＣＨ送信のための送信特性及びリソース割り当てを伝達し、一方、アップリンクグラント(ｕｐｌｉｎｋ ｇｒａｎｔ)がアップリンクサブフレームでＰＵＳＣＨ送信のための送信特性及びリソース割り当てを伝達するうちに、多くの形式のＤＣＩフォーマットが存在する。
【００２８】
ＰＤＳＣＨ送信及びユーザ装置特定参照信号
【００２９】
ＰＤＣＣＨ領域の次のこのようなすべてのＯＦＤＭ シンボルはＰＤＳＣＨに割り当てられる。これらＯＦＤＭシンボルのサブキャリア上にマッピングされるデータシンボルは、リソース要素を除いて、参照信号のために割り当てられる。
【００３０】
ＤＭＲＳとも知られた、ユーザ装置特定参照信号はビームフォーミング (ｂｅａｍｆｏｒｍｉｎｇ)送信のための単純な具現のためにシステムに導入する。ここで、複数のアンテナは送信される前、他の加重値でプリコーディングされる。３ＧＰＰ ＬＴＥリリース８乃至１０で、ユーザ装置特定参照信号は同一リソースブロックで送信されるデータのものと同一のプリコーダでプリコーディングされる。同一のリソースブロック上で送信されるデータに適用されるものと同一のプリコーディングを適用することによって、ユーザ装置は適用されたプリコーディングを指示する一部の他の情報を受信する必要無しにユーザ装置特定参照信号からプリコーディングの効果を推定することができる。ユーザ装置は従って正確なプリコーダ情報が分からなくても、信号がこれら仮想アンテナポートから受信されることで仮定して受信された信号をデコーディングすることができる。
【００３１】
図２は、リソースブロックでＤＭＲＳポートを示した図面である。
【００３２】
図２を参照すると、＃７〜＃１４の最大８個のポートをサポートすることができる３ＧＰＰリリース１０におけるＤＭＲＳのポート定義及び位置が示されている。最大４個のＤＭＲＳポートが使用された場合において、ポート＃７／８／９／１０は時間ドメインで拡散ファクター２へ拡散する。４個以上のＤＭＲＳポートが使用される場合において、すべてのポートは時間ドメインで拡散ファクター４へ拡散する。
【００３３】
マルチメディア放送単一周波数ネットワーク(ＭＢＳＦＮ、ｍｕｌｔｉｍｅｄｉａ ｂｒｏａｄｃａｓｔ ｓｉｎｇｌｅ ｆｒｅｑｕｅｎｃｙ ｎｅｔｗｏｒｋ)サブフレームで表わす好ましいシステムで他のサブフレーム構造が存在する。ここで、複数のｅＮＢは放送目的で、同一のシグナリング(ｓａｍｅ ｉｄｅｎｔｉｃａｌ ｓｉｇｎａｌｉｎｇ)を送信するだろう。ユーザ装置はＭＢＳＦＮサブフレームを受信するように設定されることがある。なぜなら、すべてのユーザ装置がＭＢＳＦＮブロードキャスティングを目的としないためである。システムは新しい送信モードがシステムに導入されるとき、高いオーバーヘッド問題と共に互換性を解決するためのそのような特徴を利用することができる。例えば、３ＧＰＰにおいて、リリース８ユーザ装置はリリース１０に定義されたポート７乃至１４上のＤＭＲＳを認識することができないだろう。システムは、ただＰＤＳＣＨ領域でＤＭＲＳを有する一般サブフレームがＤＭＲＳポート７乃至１４を認識することができ、ＣＲＳ無しにデータをデコーディングすることができるリリース１０ユーザ装置(ＵＥ)に対して実質的に送信される一方、リリース８ユーザ装置に対して“ＭＢＳＦＮ”サブフレームでサブフレームを設定することができる。新しい特徴が導入されたとき、類似の哲学が未来の進化されたシステムにも適用されることができる。
【００３４】
しかし、ＣＲＳが定義されないＭＢＳＦＮサブフレームで、ＣＲＳ送信に基づくレガシーＣＤＤ送信はこれ以上設定されることができない。しかし、そのようなオープンループＭＩＭＯ技術はフィードバックが手軽に利用することができないとか、信頼されない時及び／又はＭＩＭＯチャンネルが周波数及び／又は時間ドメインで多少選択的な時の一部シナリオで相変らず必要である。
【００３５】
上述した情報はただ本発明の理解を助けるための背景知識として提供される。前記のもののうちのいずれかが本発明に係る従来技術として適用可能かどうかに関しては、いかなる決定も、主張もできない。
【発明の概要】
【発明が解決しようとする課題】
【００３６】
本発明の目的は、高信頼性の情報伝達が、時間ドメイン及び周波数ドメインで動的変化を有する移動チャンネルでも実現されるように、伝達信号が上位レベルのダイバーシティー次数で受信されるようにする伝達スキームを提供することである。
【課題を解決するための手段】
【００３７】
本発明の目的は、少なくとも上述した問題点及び／又は不都合を解決し、少なくとも以下の利便性を提供することにある。すなわち、本発明の目的は、高信頼性の情報伝達が、時間ドメイン及び周波数ドメインで動的変化を有する移動チャンネルでも実現されるように、伝達信号が上位レベルのダイバーシティー次数で受信されるようにする伝達スキームを提供することである。上述した目的を達成するためのシステムは制御チャンネルの送信のために使用される無線リソースを分割し、分割された無線リソースセグメントそれぞれを他のアンテナポートにマッピングする。ユーザ装置は複数の無線リソースセグメント及び複数のアンテナポートの間のマッピング関係を用いて無線リソースセグメントそれぞれに対してプリコーディング及びチャンネル推定を誘導する。
【００３８】
本発明の実施形態によれば、無線通信システムの基地局における制御情報送信方法は、制御情報を送信するリソースと前記リソースに対応してＤＭＲＳを送信するＤＭＲＳポートの同様に適用されるプリコーダを決定する段階と、前記決定されたプリコーダを用いて前記リソースと前記ＤＭＲＳポートをプリコーディングする段階と、及び前記制御情報と前記ＤＭＲＳを端末で送信する段階と、を含むことを特徴とする。
【００３９】
本発明の他の実施形態によれば、無線通信システムの端末で制御情報受信方法は、基地局からサブフレームを受信する段階と、制御情報を送信するリソースに適用されたプリコーダをＤＭＲＳを用いて決定する段階と、及び前記プリコーダを用いてリソースを復調する段階と、を含むことを特徴とする。
【００４０】
また、本発明の他の実施形態によれば、無線通信システムで制御情報送信を実行する基地局装置は、制御情報を送信するリソースと前記リソースに対応してＤＭＲＳを送信するＤＭＲＳポートの同様に適用されるプリコーダを決定し、前記決定されたプリコーダを用いて前記リソースと前記ＤＭＲＳポートをプリコーディングし、前記制御情報と前記ＤＭＲＳを端末へ送信するように制御する制御部を含むことを特徴とする。
【００４１】
また、本発明の他の実施形態によれば、無線通信システムで制御情報受信を実行する端末装置は、基地局からサブフレームを受信し、ＤＭＲＳを用いてＤＭＲＳに適用されたプリコーダを決定し、前記プリコーダを用いてリソースを復調する段階を含むように制御することを特徴とする。
【００４２】
本発明の好ましい実施形態において、レガシーＰＤＳＣＨ(Ｐｈｙｓｉｃａｌ Ｄｏｗｎｌｉｎｋ Ｓｈａｒｅｄ ＣＨａｎｎｅｌ)領域でプリコーダ循環(ｐｒｅｃｏｄｅｒ ｃｙｃｌｉｎｇ)を有する向上した送信の方法を提示する。提案されたスキームはレガシーＰＤＳＣＨ領域でデータ及び向上した制御チャンネル送信両方に適用されることができる。
【発明の効果】
【００４３】
本発明によれば、上位レベルのダイバーシティー次数で受信される伝達信号が時間ドメイン及び周波数ドメインで動的多様性を有する移動性チャンネルでも高信頼性の情報伝達ができる。
【図面の簡単な説明】
【００４４】
本発明の一部実施形態の上述した及び他の側面、特徴及び利得は添付の図面と共に下記の詳細な説明からより明確になるだろう。
【００４５】
【図１】ＬＴＥ／ＬＴＥ−Ａシステムでリソース割り当ての基本単位を示す図面である 。
【図２】リソースブロックでＤＭＲＳポートを示す図面である。
【図３Ａ】本発明の実施形態に他の向上した制御チャンネルの送信のためのＲＥＧ分割(ＲＥＧ ｐａｒｔｉｔｉｏｎｉｎｇ)を示す図面である。
【図３Ｂ】本発明の実施形態に他の向上した制御チャンネルの送信のためのＲＥＧ分割(ＲＥＧ ｐａｒｔｉｔｉｏｎｉｎｇ)を示す図面である。
【図３Ｃ】本発明の実施形態に他の向上した制御チャンネルの送信のためのＲＥＧ分割(ＲＥＧ ｐａｒｔｉｔｉｏｎｉｎｇ)を示す図面である。
【図３Ｄ】本発明の実施形態に他の向上した制御チャンネルの送信のためのＲＥＧ分割(ＲＥＧ ｐａｒｔｉｔｉｏｎｉｎｇ)を示す図面である。
【図３Ｅ】本発明の実施形態に他の向上した制御チャンネルの送信のためのＲＥＧ分割(ＲＥＧ ｐａｒｔｉｔｉｏｎｉｎｇ)を示す図面である。
【図３Ｆ】本発明の実施形態に他の向上した制御チャンネルの送信のためのＲＥＧ分割(ＲＥＧ ｐａｒｔｉｔｉｏｎｉｎｇ)を示す図面である。
【図４】本発明の他の実施形態による向上した制御チャンネルの送信のためのＲＥＧ分割を示す図面である。
【図５Ａ】本発明の実施形態によるＲＥＧに基づくプリコーダ循環を示す図面である。
【図５Ｂ】本発明の実施形態によるＲＥＧに基づくプリコーダ循環を示す図面である。
【図５Ｃ】本発明の実施形態によるＲＥＧに基づくプリコーダ循環を示す図面である。
【図６Ａ】本発明の他の実施形態によるＲＥＧに基づくプリコーダ循環を示す図面である。
【図６Ｂ】本発明の他の実施形態によるＲＥＧに基づくプリコーダ循環を示す図面である。
【図７】本発明の実施形態による複数のＶＲＢの間でプリコーダ循環を示す図面である 。
【図８】本発明の実施形態による予め定義されたＤＭＲＳマッピングを有するプリコーダ循環割り当てを示す図面である。
【図９】プリコーディングがＲＥＧ内で変更される本発明の他の実施形態による予め定義されたＤＭＲＳマッピングを有するプリコーダ循環割り当てを示す図面である。
【図１０】プリコーディングがＲＥＧ内で変更される本発明の他の実施形態による予め定義されたＤＭＲＳマッピングを有するプリコーダ循環割り当てを示す図面である。
【図１１】基地局(ｅＮＢ)のＥ−ＣＣＨ(ｅｎｈａｎｃｅｄ ｃｏｎｔｒｏｌ ｃｈａｎｎｅｌ)の送信のための方法を示すフローチャートである。
【図１２】ユーザ装置の向上した制御チャンネル(Ｅ−ＣＣＨ)の受信のための方法を示すフローチャートである。
【００４６】
図面にかけて、同一参照番号は同一又は類似の要素、特徴、及び構造を説明するために使用されることを留意すべきである。
【発明を実施するための形態】
【００４７】
添付された図面に関連して請求範囲及びこれと同等なものなどによって定義される本発明の実施形態に対する包括的な理解を助けるために以下の説明が提供される。これは理解を助けるために多様な特定細部事項を含むが、これらはただ例示的なものと見なされなければならない。従って、この技術分野で通常の知識を有する者らは本発明の思想及び範囲を外れない範囲でこの文献に説明される実施形態の多様な変更及び修正が加えられることができるということを理解するだろう。追加で、よく知られた機能及び構造説明は明確でかつ簡略にするために省略する。
【００４８】
以下の説明及び請求範囲で使用された用語及び単語は辞書的な意味に制限されるものではなく、発明者によって本発明の明確でかつ一貫した理解を可能にするために使用される。従って、本発明の実施形態の以下の説明が添付された特許請求範囲及びそれと同等なものなどによって定義されるように、本発明を限定する目的ではなく、単純な説明を目的に提供されていることをこの技術分野で通常の知識を有する者らには明確である。
【００４９】
単数形式ａ、ａｎ及びｔｈｅは構文上で明確に言及しない限り、複数の対象を含むことを理解しなければならない。従って、例えば、コンポネント表面(a ｃｏｍｐｏｎｅｎｔ ｓｕｒｆａｃｅ)に対する参照は一つ以上のそのような表面に対する参照を含む。
【００５０】
ＯＦＤＭＡに基づくシステムにおいて、システムは制御又はデータ送信のために特定ユーザ装置(ＵＥ)に対するリソースのセットを設定する。前記リソースのセットはリソースブロック(ＲＢ)内に位置したり、複数のリソースブロック(ＲＢ)内に分散することができる複数のリソース要素(ＲＥ)を含む。ＤＭＲＳポートは送信を検出するためにユーザ装置(ＵＥ)に対して前記の一つ又は複数のリソースブロック(ＲＢ)に割り当てられる。
【００５１】
好ましい実施形態において、前記複数のリソース要素(ＲＥ)はリソース要素グループ(ＲＥＧ)でグループ化される。ここで、各ＲＥＧは周波数及び／又は時間ドメインで少なくとも一つ又は複数のＲＥを含む。ＲＥＧのためのＲＥは周波数及び／又は時間ドメインで連続であることができ、又は周波数及び／又は時間ドメインで分散したり／不連続であることができる。
【００５２】
図３Ａ乃至図３Ｆは、本発明の実施形態に他の向上した制御チャンネルの送信のためのＲＥＧ分割(ＲＥＧ ｐａｒｔｉｔｉｏｎｉｎｇ)を示す図面である。
【００５３】
図３Ａ乃至図３Ｆを参照すれば、例示的な連続ＲＥＧ分配設定(ｃｏｎｓｅｃｕｔｉｖｅ ＲＥＧ ｐｏｒｔｉｏｎｉｎｇ ｃｏｎｆｉｇｕｒａｔｉｏｎ)が示されている。図３Ａで、時間ドメインの参照信号ＲＥを除いた連続した２ＲＥがＲＥＧでグループ化される。図３Ｂで、時間ドメインの参照信号(ＲＳ)ＲＥを除いた連続した４ＲＥがＲＥＧでグループ化される。図３Ｃで、同一リソースブロック(ＲＢ)で同一サブキャリアのための参照信号(ＲＳ)ＲＥを除いた連続したＲＥがＲＥＧでグループ化される。ＲＥＧグループ化も周波数ドメインでも成ることができる。図３Ｄで、周波数ドメインの参照信号(ＲＳ)ＲＥを除いた連続した２ＲＥがＲＥＧでグループ化される。図３Ｅで、周波数ドメインの参照信号(ＲＳ)ＲＥを除いた連続した４ＲＥがＲＥＧでグループ化される。図３Ｆで、周波数ドメインの参照信号(ＲＳ)ＲＥを除いた連続した２ＲＥがＲＥＧでグループ化される。図３Ｃ及び図３Ｆの場合に対するＲＥＧの大きさは、この実質的位置に基づいて一つのＲＥＧから他のＲＥＧまで多様であるが、図３Ａ、３Ｂ、３Ｄ及び３Ｅの場合に注目すれば、ＲＥＧの大きさ(ＲＥＧでＲＥの数)は固定される。ＲＥＧがＤ及びＥの場合に対して一つのＯＦＤＭシンボルで、或いはＡ及びＢの場合に対して一つのサブキャリアに位置されなければならないことに制限されると、使用されることができないオーファンリソース要素(ＲＥ)が存在することができる。プリコーディング循環はＲＥによってＲＥに適用されるので、今、ＲＥＧ内のチャンネルが一体化されることが必要である。従って、ＲＥＧがサブキャリアにかけて割り当てられることができるとか、或いはＯＦＤＭシンボルがオーファンＲＥを回避することによって効率を向上させることを定義する。例えば、図３Ａで、ＲＥＧ＃４は２個の連続されたＯＦＤＭシンボルに割り当てられ、図３ＤでＲＥＧ＃４は２個の連続されたサブキャリアに割り当てられる。
【００５４】
図４は、本発明の他の実施形態による向上した制御チャンネルの送信のためのＲＥＧ分割を示す図面である。
【００５５】
ＲＥＧも周波数及び／又は時間ドメインで連続しない複数のＲＥを含むことができる。図４を参照すれば、３０ＲＥＧは一つのリソースブロックに含まれる。各ＲＥＧはサブフレームに分散した４ＲＥを含む。
【００５６】
ＲＥＧのＲＥの数は多様なものであることができ、これはまた一部の場合において一つになることができる。即ち、ＲＥは一つのＲＥＧを表現することができる。
【００５７】
図３及び図４のインデックシング(ｉｎｄｅｘｉｎｇ)が周波数又は時間ドメインでリソースブロック(ＲＢ)内で成ることに留意されたい。複数のリソースブロック(ＲＢ)がプリコーダ循環を有する前記送信に対して割り当てられるとき、インデックシングも周波数又は時間ドメインで複数のリソースブロック(ＲＢ)を通じて成ることができる。
【００５８】
複数のＲＥＧは他のリソースセット、即ち、強化された制御チャンネル送信に対する単位になることができる、強化された制御チャンネル要素(Ｅ−ＣＣＥ、ｅｎｈａｎｃｅｄ ｃｏｎｔｒｏｌ ｃｈａｎｎｅｌ ｅｌｅｍｅｎｔ)でさらにグループ化されることができる。E−ＣＣＥは複数のリソースブロック(ＲＢ)にかけて複数のＲＥＧ、又は一つのリソースブロック(ＲＢ)内の複数のＲＥＧを含むことができる。Ｅ−ＰＤＣＣＨは少なくとも一つのＥ−ＣＣＥ又は複数のＥ−ＣＣＥを用いて送信されるだろう。他の適用可能な送信において、本発明のスキームはさらに、Ｅ−ＰＨＩＣＨ(Ｅｎｈａｎｃｅｄ Ｐｈｙｓｉｃａｌ ＨＡＲＱ Ｉｎｄｉｃａｔｉｏｎ ＣＨａｎｎｅｌ)、又はＥ−ＰＣＦＩＣＨ (Ｅｎｈａｎｃｅｄ Ｐｈｙｓｉｃａｌ Ｃｏｎｔｒｏｌ Ｆｏｒｍａｔ Ｉｎｄｉｃａｔｉｏｎ Ｃｈａｎｎｅｌ)のような、他の強化された制御チャンネルに適用されることができる。
【００５９】
実施形態１：ＲＥＧに基づくプリコーディング循環
【００６０】
統一されたプリコーディング定義は、レガシーシステムで長い遅延ＣＤＤと類似に定義されることができる：
【００６１】
【数５】
2014533909.tif 000007
【００６２】
好ましい実施形態で、システムは特定ユーザ装置(ＵＥ)に対する制御又はデータ送信のためのＲＥＧのセットを割り当てる。前記ＲＥＧのセットのリソース割り当ては予めユーザ装置(ＵＥ)に対して指示されることができる。又はユーザ装置は制限された数の可能なリソース組合をブラインドデコーディングすることによってその割り当てを識別することができる。
【００６３】
【数６】
2014533909.tif 000008
【００６４】
好ましい実施形態において、ユーザ装置(ＵＥ)は割り当てられたＲＥＧらがローカライズされたり、或いは分散されるか否かに構わずに前記で特定された規則によってこの割り当てられたＲＥＧのそれぞれに対するプリコーディング情報を推定する。
【００６５】
図５は、本発明の実施形態によるＲＥＧに基づくプリコーダ循環を示す。
【００６６】
図５Ａで、複数のユーザ装置(ＵＥ)は同一のアンテナポート７乃至１０を用いる1物理リソースブロック(PＲＢ)内で多重化される。プリコーディングマトリックス
【００６７】
【数７】
2014533909.tif 000009
【００６８】
は前記ＤＭＲＳポート７乃至１０に適用される。
【００６９】
【数８】
2014533909.tif 000010
【００７０】
は各ユーザ装置(ＵＥ)の割り当て内のＲＥＧインデックスによって決定される。
【００７１】
図６は、本発明の他実施形態によるＲＥＧに基づくプリコーダ循環を示す。
【００７２】
【数９】
2014533909.tif 000011
【００７３】
これは、
【００７４】
【数１０】
2014533909.tif 000012
【００７５】
が、例えば、強化された制御チャンネル送信のための、又はリソースブロック(ＲＢ)内の関連するＲＥＧインデックスによる、前記特別送信のために割り当てられたＶＲＢ内のグローバルＲＥＧインデックス(ｇｌｏｂａｌ ＲＥＧ ｉｎｄｅｘ)による他の実施形態で拡張されることができる。
【００７６】
ユーザ装置(ＵＥ)が複数のリソースブロック(ＲＢ)に分散した、複数のＲＥＧに割り当てられるとき、同一のプリコーダ定義が各リソースブロック(ＲＢ)に適用されることができる。又はプリコーダはリソースブロック(ＲＢ)インデックス又はサブフレームインデックス上で追加循環を有することができる。
【００７７】
【数１１】
2014533909.tif 000013
【００７８】
イントラＲＥＧプリコーダ循環の場合のために、プリコーダは追加ＲＥＧインデックス、及び／又はリソースブロック(ＲＢ)インデックス上に循環、及び／又はサブフレームインデックスを有することができる。
【００７９】
【数１２】
2014533909.tif 000014
【００８０】
【数１３】
2014533909.tif 000015
【００８１】
他の好ましい実施形態において、ｎ番目のＶＲＢのために、ただ一つのプリコーダ
【００８２】
【数１４】
2014533909.tif 000016
【００８３】
が定義される。そしてプリコーダは一つのＶＲＢから他のＶＲＢに変更される。ＶＲＢ内部で、スケジューリングされるいずれのユーザ装置(ＵＥ)も図７に示したように、復調のために同一のプリコーダを利用するだろう。
【００８４】
図７は、本発明の実施形態による複数のＶＲＢの間でプリコーダ循環を示す。
【００８５】
リソースマッピングのための制御／データペイロードはＲＥＧリソース割り当てと同一手順によるということに留意したい。即ち、ＲＥＧが図３Ａ、３Ｂ又は３Ｃのように時間ドメインに割り当てられると、ペイロードシンボルも時間ドメインのリソース要素(ＲＥ)に優先マッピングされるだろう。３ＧＰＰシステムで、レガシリソース要素(ＲＥ)マッピングは周波数優先規則による。周波数優先規則が適用されるとき、ペイロードシンボル
【００８６】
【数１５】
2014533909.tif 000017
【００８７】
の決定はより複雑になるだろう。しかし、前述したような同一のプリコーダマッピングが相変らず適用される。また、ＲＥＧインターリビングは物理リソース要素に対するデータシンボルの実際リソースマッピング前に成るということに留意しなければならない。ＲＥＧインターリビングは３ＧＰＰリリース８乃至１０に定義されたようなレガシーＰＤＣＣＨ ＲＥＧインターリビングのために使用されることと同一のインタリバーを使用するだろう。
【００８８】
拡散又は繰り返しはさらにプリコーダ循環だけではなく複数のリソース要素(ＲＥ)にかけて成ることができる。例えば、制御データシンボルはファクター４の拡散コードを有する４隣接するリソース要素(ＲＥ)から送信され、そして全てのこのような４リソース要素(ＲＥ)は同一プリコーダを使用する。繰り返しの場合において、例えば、制御データシンボルは４隣接するリソース要素(ＲＥ)上で繰り返し的に送信される。そして各リソース要素(ＲＥ)は他のプリコーダを使用することができる。前記隣接するリソース要素(ＲＥ)は予め定義されたＲＥＧになることができる。拡散又は繰り返しを有するプリコーダ循環のそのようなスキームは実際にＥ−ＰＨＩＣＨ(Ｅｎｈａｎｃｅｄ Ｐｈｙｓｉｃａｌ Ｈｙｂｒｉｄ ＡＲＱ Ｉｎｄｉｃａｔｏｒ Ｃｈａｎｎｅｌ)又はＥ−ＰＣＦＩＣＨ (Ｅｎｈａｎｃｅｄ Ｐｈｙｓｉｃａｌ Ｃｏｎｔｒｏｌ Ｆｏｒｍａｔ Ｉｎｄｉｃａｔｏｒ Ｃｈａｎｎｅｌ)送信に使用されることができる。Ｅ−ＰＨＩＣＨはユーザ装置によって造られるアップリンク送信に対応して基地局によるＡＣＫ又はＮＡＣＫの指示のために使用される。Ｅ−ＰＣＦＩＣＨはＰＤＣＣＨ又はＥ−ＰＤＣＣＨの送信のために使用される制御領域の大きさの指示のために使用される。ＰＤＣＣＨのために、Ｅ−ＰＣＦＩＣＨはＰＤＣＣＨの送信のために使用されるＯＦＤＭシンボルの番号を指示することができ、一方、Ｅ−ＰＤＣＣＨのために、Ｅ−ＰＣＦＩＣＨはＥ−ＰＤＣＣＨの送信のために使用されるリソースブロック(ＲＢ)の番号を指示することができる。
【００８９】
要約すれば、下記のような方法が提示される：
【００９０】
−リソースブロック(ＲＢ)でリソース要素(ＲＥ)は一つ又は幾つかのサブセットに分割される；
【００９１】
−リソースブロック(ＲＢ)でリソース要素(ＲＥ)の各サブセットは予め決定されたプリコーダを用いてプリコーディングされる；  
【００９２】
−各リソースブロック(ＲＢ)に適用されるプリコーダセットはリソースブロック(ＲＢ)でリソースブロック(ＲＢ)に変更されたり、又は変更されないこともある；
【００９３】
−前記リソース要素(ＲＥ)サブセットのうちのいずれか１つでリソース要素(ＲＥ)は他のユーザ装置(ＵＥ)に対して割り当てられることができる；
【００９４】
−ユーザ装置(ＵＥ)はチャンネル推定のためにリソースブロック(ＲＢ)内部で参照信号を用いて、予め決定されたプリコーダセット情報と共にデータシンボルを復調する。
【００９５】
実施形態２：ＲＥＧ及びＤＭＲＳポート循環
【００９６】
前述した実施形態1で、
【００９７】
【数１６】
2014533909.tif 000018
【００９８】
はＲＥＧ位置／インデックスに基づいて決定される。これはユーザ装置(ＵＥ)は各ＲＥＧに適用される正確な
【００９９】
【数１７】
2014533909.tif 000019
【０１００】
を認知するということが仮定されなければならない。
【０１０１】
他の好ましい実施形態において、ユーザ装置(ＵＥ)はどんな
【０１０２】
【数１８】
2014533909.tif 000020
【０１０３】
が各ＲＥＧに使用されたのかに対する認識無しにプリコーディングされたＤＭＲＳを用いて前記送信をデコーディングすることができる。ユーザ装置(ＵＥ)はレガシーシステムでユーザ特定参照信号を有するアンテナポートを用いて空間多重化のためのプリコーディングを仮定しなければならない。これは下記のように定義される。
【０１０４】
【数１９】
2014533909.tif 000021
【０１０５】
各ＲＥＧに対し、ユーザ装置(ＵＥ)は特定ＤＭＲＳを用いて送信されると仮定する。規則はユーザ装置(ＵＥ)が各ＲＥＧに対するＤＭＲＳポート設定を認知するように設計されなければならない。
【０１０６】
図８は、本発明の実施形態による予め定義されたＤＭＲＳマッピングを有するプリコーダ循環割り当てを示す。
【０１０７】
【数２０】
2014533909.tif 000022
【０１０８】
各割り当てられたＲＥＧに対し、ユーザ装置(ＵＥ)は復調のために対応するＤＭＲＳポートを利用するだろう。実施形態１と類似に、ＲＥＧインデックスはここでリソースブロック(ＲＢ)内で、又は予め割り当てられたリソースブロック(ＲＢ)のセット内で定義されることができる。
【０１０９】
図８で各ＲＥＧに適用された実際プリコーダはユーザ装置(ＵＥ)が明確に認知することができる。基地局(ｅＮＢ)は全体コードブック、コードブックのサブセット、又は基地局(ｅＮＢ)が適合にサーチする他のプリコーダを用いて循環(ｒｏｔａｔｅ)して選択することができる。
【０１１０】
ユーザ装置(ＵＥ)が複数のリソースブロック(ＲＢ)に分散した、複数のＲＥＧに割り当てされるとき、同一ＲＥＧ及びＤＭＲＳポートマッピングが各リソースブロック(ＲＢ)に適用されることができる。又はプリコーダはリソースブロック(ＲＢ)インデックス又はサブフレームインデックス上で追加循環を有することができる。
【０１１１】
【数２１】
2014533909.tif 000023
【０１１２】
イントラＲＥＧ循環もこのＤＭＲＳポートに基づくプリコーディング循環が可能である。その例を図８に示す。ここで、ユーザ装置(ＵＥ)はＤＭＲＳポート７乃至１０がＲＥＧで４リソース要素(ＲＥ)のうちのいずれか一つのデコーディングのためのことで仮定する。
【０１１３】
【数２２】
2014533909.tif 000024
【０１１４】
図９は、プリコーディングがＲＥＧ内で変更される本発明の他の実施形態による予め定義されたＤＭＲＳマッピングを有するプリコーダ循環割り当てを示す。
【０１１５】
図９を参照すれば、プリコーダ循環はＤＭＲＳポート７、ポート８、ポート９、及びポート１０を有する２個のプリコーダＷ０、Ｗ１、Ｗ２、Ｗ３を用いて実行される。基地局(ｅＮＢ)さらにリソースブロック(ＲＢ)で各ＤＭＲＳポートに使用されるプリコーダを変更することができる。例えば、ポート７／８はＶＲＢ1でＷ１／Ｗ２を用いて、ＶＲＢ２でＷ３／Ｗ４を使用する、等々。ユーザ装置(ＵＥ)はただ復調のために各リソースブロック(ＲＢ)内のＤＭＲＳを用いるから、この動作はユーザ装置(ＵＥ)において明確である。
【０１１６】
他の好ましい実施形態において、システムはただリソースブロック(ＲＢ)のための一つのＤＭＲＳポートを設定することができる。例えば、すべてのリソース要素(ＲＥ)はランク−１送信を仮定する復調のためにポート７を用いる。基地局(ｅＮＢ)はＶＲＢでプリコーダを変更することができる。これはユーザ装置(ＵＥ)において明確である。このような場合において、ただ一つのポートのＤＭＲＳが送信されることによって、ポート−８ＤＭＲＳが送信されないため、ポート７に対するＤＭＲＳパワーは３ｄＢ増加する。設定は、ただＤＭＲＳポート７が割り当てられたリソース要素(ＲＥ)で設定されたり／送信されることだけ除いて、図６のそれと類似である。
【０１１７】
図１０は、プリコーディングがＲＥＧ内で変更される本発明の他の実施形態による予め定義されたＤＭＲＳマッピングを有するプリコーダ循環割り当てを示す。
【０１１８】
図１０を参照すれば、ＲＥＧでＲＥがハイブリッド方式でグループ化されるＲＥＧ割り当てが示された。図１０で、プリコーダ循環はＤＭＲＳポート７及び８を有するプリコーダＷ０及びＷ１を用いて実行される。図1グループのＯＦＤＭシンボル、例えば、２(もし、どんなＰＤＣＣＨも設定されない場合)、３、４、７、８、１１で、ＲＥＧは周波数ドメインにかけて２個のリソース要素(ＲＥ)と設定される。一方、第２グループのＯＦＤＭシンボル、例えば、５、６、９、１０、１２、１３で、ＲＥＧは時間ドメインにかけて２個のリソース要素(ＲＥ)と設定される。第1グループのＯＦＤＭシンボルで、ＣＲＳ、及び／又はＥ−ＣＣＨ及び／又はスケジューリングされたＰＤＳＣＨが存在することができる。第２グループのＯＦＤＭシンボルで、ＤＭＲＳ及び／又はＣＳＩ−ＲＳ及び／又はＥ−ＣＣＨ及び／又はスケジューリングされたＰＤＳＣＨが存在することができる。そのようなグループ化は送信ダイバーシティー及びプリコーダ循環モード両者に適用することができることに留意すべきである。送信ダイバーシティーのために、空間―周波数ブロックコード(ｓｐａｃｅ−ｆｒｅｑｕｅｎｃｙ ｂｌｏｃｋ ｃｏｄｅ)は第１グループのＯＦＤＭシンボルに適用される。一方、空間−時間ブロックコード(ｓｐａｃｅ−ｔｉｍｅ ｂｌｏｃｋ ｃｏｄｅ)は第２グループのＯＦＤＭシンボルに適用される。プリコーダ循環のために、２個の互いに異なるプリコーダは図９に示したように、ＲＥＧの２個のリソース要素(ＲＥ)に適用されることができる。要約すれば、リソースブロック対又はサブフレーム内部のＯＦＤＭシンボルは少なくとも２個の形式でカテゴリー化される。第１形式のＯＦＤＭシンボルに対して、リソース要素(ＲＥ)は周波数ドメインに応じてグループ化される。第２形式のＯＦＤＭシンボルに対して、リソース要素(ＲＥ)は第２形式の２個の隣接したＯＦＤＭシンボルにかけて時間ドメインに応じてグループ化される。例えば、３ＧＰＰシステムの一般サブフレームで、一つの一般サブフレーム内部の１４個のシンボルが０乃至１３にインデックシングされたことで仮定すれば、第１形式のＯＦＤＭシンボルはシンボル＃０、＃１、＃２、＃３、＃４、＃７、＃８、＃１１を含み、第２形式のＯＦＤＭシンボルはシンボル＃５、＃６、＃９、＃１０、＃１２、＃１３を含む。
【０１１９】
図４乃至図１０に示したように、いずれもリソース割り当てで、ＲＥＧインデックシングは図示目的であり、複数のユーザ装置(ＵＥ)に対する実際割り当ての前に追加でインターリビングされる。
【０１２０】
拡散又は繰り返しもポート循環に追加で複数のリソース要素(ＲＥ)にかけて成ることができる。例えば、制御データシンボルはファクター４の拡散コードを有する４個の隣接するリソース要素(ＲＥ)上で送信される。そして全ての隣接する４個のリソース要素(ＲＥ)は同一ポートを用いる。繰り返しの場合で、例えば、制御データシンボルは４個の隣接するリソース要素(ＲＥ)上で繰り返し的に送信される。そして各リソース要素(ＲＥ)は他のポートを利用することができる。前記隣接するリソース要素(ＲＥ)は予め定義されたＲＥＧになることができる。拡散又は繰り返しを有するポート循環のそのようなスキームは実際にＥ−ＰＨＩＣＨ又はＥ−ＰＣＦＩＣＨ送信に対して使用されることができる。
【０１２１】
要約すれば、下記のような他の方法が提示される：
【０１２２】
−リソースブロック(ＲＢ)でリソース要素(ＲＥ)は一つ又は幾つかのサブセットに分割される；
【０１２３】
−リソースブロック(ＲＢ)でリソース要素(ＲＥ)の各サブセットは予め定義されたＤＭＲＳポートにマッピングされる；
【０１２４】
−各ＤＭＲＳポートに適用されたプリコーダはリソースブロック(ＲＢ)でリソースブロック(ＲＢ)に変更されたり、又は変更されないこともある；
【０１２５】
−前記リソース要素(ＲＥ)サブセットのうちのいずれか１つでリソース要素(ＲＥ)は他のユーザ装置(ＵＥ)に対して割り当てられることができる；
【０１２６】
−ユーザ装置(ＵＥ)は各ＤＭＲＳポートのチャンネル推定のためにリソースブロック(ＲＢ)内部で参照信号を用いて、予め決定されたＤＭＲＳポートチャンネルを有する各データシンボルを復調する。
【０１２７】
図１１は、基地局(ｅＮＢ)のＥ−ＣＣＨ(ｅｎｈａｎｃｅｄ ｃｏｎｔｒｏｌ ｃｈａｎｎｅｌ)の送信のための方法を示すフローチャートである。
【０１２８】
図１１を参照すれば、基地局(ｅＮＢ)は先ず、１１１０段階でＥ−ＣＣＨ領域及び、ユーザ装置(ＵＥ)が前記Ｅ−ＣＣＨを受信するものなどに使用されるスクランブリングシーケンスと設定されたポート番号のような対応するＤＭＲＳ情報を設定する。その後、基地局(ｅＮＢ)は１１２０段階で各サブフレームに対して複数のユーザ装置(ＵＥ)をスケジューリングする。もし、ユーザ装置(ＵＥ)がＥ−ＣＣＨを利用して設定されると、基地局(ｅＮＢ)はユーザ装置(ＵＥ)に対してＥ−ＣＣＨをスケジューリングすることを継続するだろう。次に、基地局(ｅＮＢ)は１１３０段階で予め定義された規則によって前記スケジューリングされたユーザ装置(ＵＥ)に使用するためのプリコーディングを決定する。可能な規則が本発明の実施形態で説明される。その後、１１４０段階で基地局(ｅＮＢ)はユーザ装置(ＵＥ)にＥ−ＣＣＨを送信する。
【０１２９】
図１２は、ユーザ装置の向上した制御チャンネル(Ｅ−ＣＣＨ)の受信のための方法を示すフローチャートである。
【０１３０】
図１２を参照すれば、ユーザ装置(ＵＥ)は先ず１２１０段階でＥ−ＣＣＨ領域及び使用されるスクランブリングシーケンス及び設定されたポート番号のような対応するＤＭＲＳ情報に関して基地局(ｅＮＢ)から設定を受信する。その後、ユーザ装置は１２２０段階で基地局から送信されたサブフレームを受信することを継続する。次に、ユーザ装置は１２３０段階で可能なＥ−ＣＣＨリソース組合それぞれに対する検索空間を生成する。各検索空間に対して、ユーザ装置はさらに１２４０段階で実施形態２で説明された規則によって検索空間のＲＥＧ／ＲＥそれぞれのための対応するＤＭＲＳポート番号を決定する。
【０１３１】
ユーザ装置(ＵＥ)は１２５０段階で各設定されたＤＭＲＳポートに対してチャンネル推定を実行し、推定されたＤＭＲＳチャンネルを対応するＲＥＧ／ＲＥ復調に使用する。その後、ユーザ装置はＥ−ＣＣＨブラインドデコーディングのための検索空間を検索するだろう。
【０１３２】
本発明が一部実施形態に係って説明されたが、この技術分野で通常の知識を有する者であれば形式及び細部事項において多様な変形が添付の請求範囲及びそれらと同等なものなどによって定義される本発明の思想及び範囲を逸脱せずその範囲内で創作されることができるということを理解することができるだろう。
【図１】
2014533909.tif 000025
【図２】
2014533909.tif 000026
【図３Ａ】
2014533909.tif 000027
【図３Ｂ】
2014533909.tif 000028
【図３Ｃ】
2014533909.tif 000029
【図３Ｄ】
2014533909.tif 000030
【図３Ｅ】
2014533909.tif 000031
【図３Ｆ】
2014533909.tif 000032
【図４】
2014533909.tif 000033
【図５Ａ】
2014533909.tif 000034
【図５Ｂ】
2014533909.tif 000035
【図５Ｃ】
2014533909.tif 000036
【図６Ａ】
2014533909.tif 000037
【図６Ｂ】
2014533909.tif 000038
【図７】
2014533909.tif 000039
【図８】
2014533909.tif 000040
【図９】
2014533909.tif 000041
【図１０】
2014533909.tif 000042
【図１１】
2014533909.tif 000043
【図１２】
2014533909.tif 000044
【国際調査報告】
2014533909.tif 000045
2014533909.tif 000046